(57)【要約】【課題】主に、短時間のうちに壁面に設けた開口部の補修を完了し得るようにする。しかも、開口部に対するカバー部材の取外しや取付けを容易に行うことができるようにする。【解決手段】壁面補修材は、壁面５に設けられた開口部２１を閉塞可能なカバー部材３１を備えている。このカバー部材３１が、壁面仕上パネル３２によって構成される。上記カバー部材３１が、上記開口部２１に対して係止保持可能な係止部３３を有する。  そして、壁面５に設けられた開口部２１を、壁面仕上パネル３２によって構成されたカバー部材３１によって閉塞する工程と、カバー部材３１に設けられた係止部３３を用いて、カバー部材３１を上記開口部２１に対して（ワンタッチで）係止保持させる工程とを順に行うようにする。【選択図】図４
2018017082.tif 000002
【特許請求の範囲】
【請求項１】
壁面に設けられた開口部を閉塞可能なカバー部材が設けられ、
該カバー部材が、壁面仕上パネルによって構成されると共に、
前記カバー部材が、前記開口部に対して係止保持可能な係止部を有することを特徴とする壁面補修材。
【請求項２】
請求項１に記載の壁面補修材において、
前記カバー部材が、点検口を備えていることを特徴とする壁面補修材。
【請求項３】
請求項１または請求項２に記載の壁面補修材において、
前記カバー部材が、前記開口部との隙間を目立たなくするための隙間遮蔽材を有していることを特徴とする壁面補修材。
【請求項４】
請求項１ないし請求項３のいずれか１項に記載の壁面補修材において、
前記カバー部材が、遮音材を備えていることを特徴とする壁面補修材。
【請求項５】
請求項１ないし請求項４のいずれか１項に記載の壁面補修材において、
前記開口部が、マンション・アパート・一戸建てなどの住宅や事務所ビルなどの建物のパイプスペースの、専有部分との境界となる壁面に設けられたものであることを特徴とする壁面補修材。
【請求項６】
壁面に設けられた開口部を、壁面仕上パネルによって構成されたカバー部材によって閉塞する工程と、
前記カバー部材に設けられた係止部を用いて、前記カバー部材を前記開口部に対して係止保持させることを特徴とする壁面補修方法。
【発明の詳細な説明】
【技術分野】
【０００１】
この発明は、壁面補修材および壁面補修方法に関するものである。
【背景技術】
【０００２】
例えば、マンション・アパート・一戸建てなどの住宅や事務所ビルなどの建物では、パイプスペースなどに対して、給水管や排水管などの配管が通されている。そして、このような配管を補修する場合、パイプスペースなどの壁面に開口部を設ける必要がある。
【０００３】
そして、配管の補修後には、壁面に設けた開口部を塞ぐ必要がある。壁面が木軸構造の場合、壁面に設けられた開口部の補修は、これまで、開口部自体を木軸補強し、木軸補強された開口部の部分に石膏ボードなどの構造面材を取付け、開口部と石膏ボードとの隙間を目地処理し、目地の乾燥後に石膏ボードの表面に仕上げクロスなどを貼り付けるようにしていた。
【０００４】
そのため、開口部の補修は、工期が長くなり、また、コストもかかっていた。例えば、上記した木軸補強と、石膏ボードの取付けと、目地処理および目地の乾燥に１日を要し、クロス貼りに１日を要していた。即ち、少なくとも、丸２日が必要となっていた。
【０００５】
そこで、例えば、特許文献１のように、開口部をカバー部材によって塞ぐことで、短時間のうちに開口部を補修し得るようにすることも行われている。
【先行技術文献】
【特許文献】
【０００６】
【特許文献１】特開平０８−３０２９８３号公報
【発明の概要】
【発明が解決しようとする課題】
【０００７】
しかし、特許文献１のものは、開口部の縁部のほぼ全周に対して、カバー部材をビス固定するようにしていたので、一度カバー部材を取付けてしまうと、後からカバー部材を取外したり取付けたりする際に、複数本のビスの脱着が伴うので、カバー部材の取外しや取付けが面倒である。
【０００８】
そこで、本発明は、上記した問題点を解決することを、主な目的としている。
【課題を解決するための手段】
【０００９】
上記課題を解決するために、本発明は、壁面に設けられた開口部を閉塞可能なカバー部材が設けられ、該カバー部材が、壁面仕上パネルによって構成されると共に、前記カバー部材が、前記開口部に対して係止保持可能な係止部を有する壁面補修材を特徴としている。
【発明の効果】
【００１０】
本発明によれば、上記構成によって、短時間のうちに壁面に設けた開口部の補修を完了させることができ、しかも、開口部に対するカバー部材の取外しや取付けを容易に行うことができるようになる。
【図面の簡単な説明】
【００１１】
【図１】本実施の形態にかかる補修前の壁面周辺の状況を示す全体側面図である。
【図２】図１の壁面をトイレスペースの側（専有部分の側）から見た正面図である。
【図３】壁面に開口部を設けた状態を示す正面図である。
【図４】開口部をカバー部材で閉塞する状態を示す正面図である。
【図５】開口部がカバー部材で閉塞された状態を示す正面図である。
【図６】補修後の壁面周辺の状況を示す全体側面図である。
【図７】図６の部分拡大図である。
【図８】図６をＡ−Ａ方向から見た図である。
【図９】図６のカバー部材を背面側から見た部分拡大図である。
【図１０】開口部の周辺構造を示す部分拡大斜視図である。
【図１１】図１０を裏面側から見た部分拡大斜視図である。
【図１２】他の実施例にかかる、補修後の壁面周辺の状況を示す全体側面図である。
【図１３】図１２の部分拡大図である。
【図１４】図１２をＢ−Ｂ方向から見た図である。
【図１５】図１２のカバー部材を背面側から見た部分拡大図である。
【発明を実施するための形態】
【００１２】
以下、本実施の形態を、図面を用いて詳細に説明する。
図１〜図１５は、この実施の形態の実施例および他の実施例を説明するためのものである。
【実施例１】
【００１３】
＜構成＞以下、構成について説明する。
【００１４】
図１（図２も併せて参照）に示すように、例えば、マンション・アパート・一戸建てなどの住宅や事務所ビルなどの建物１には、共用部分や専有部分４が設定されており、パイプスペース２が備えられている。このパイプスペース２には、配管３が通されている。なお、パイプスペース２に通される配管３には、例えば、給水管や排水管やガス管などがある。
【００１５】
この場合、図１中の左側がパイプスペース２とされており、右側が専有部分４のトイレスペースなどとされている。パイプスペース２と専有部分４のトイレスペースとが隣接される場合には、これらは壁面５または壁部によって区切られる。専有部分４のトイレスペースには、便器６が設置されている。パイプスペース２の配管３は、建物１の各階を上下方向に貫く排水縦管となっており、配管３には、トイレスペースからの排水を、横管７を介して合流させるようにした集合管継手８などの排水継手が取付けられる場合がある。集合管継手８は、建物１の床スラブ９に設けられた開口部９ａに対して上下方向に貫通状態で挿入配置されると共にモルタル１１によって開口部９ａに埋設されている。なお、専有部分４は、トイレスペースに限るものではない。但し、排水継手は、集合管継手８には、上記に限るものではない。また、上記した立て向きの配管３は、排水管に限るものではなく、上記した給水管やガス管などであっても良い。
【００１６】
そして、このような配管３を補修する場合、図２の状態から図３に示すように、パイプスペース２の壁面５に対して、専有部分４のトイレスペース側からパイプスペース２と連通する開口部２１を設ける必要がある。また、配管３の補修後には、図４、図５に示すように、専有部分４のトイレスペースの側から壁面５に設けた開口部２１を塞ぐ必要がある。なお、便器６については、一旦取り外してから開口部２１を形成すると共に、開口部２１を塞いだ後に、再び取付けることになる。また、図では、配管３を同等品に更新するようにしているが、同等品に更新するだけではなく、旧型の（排水などの）システムを新型の（排水などの）システムに更新するようにしても良いことは勿論である。
【００１７】
この実施例は、上記したような壁面５に設けた開口部２１を塞ぐのに適した壁面補修材に関するものである。以下、この壁面補修材について説明する。但し、壁面補修材は、上記以外の壁面５の開口部２１に対しても用いることができるのは言うまでもない。
【００１８】
（１）まず、壁面補修材として、壁面５に設けられた開口部２１を閉塞可能なカバー部材３１が設けられる。このカバー部材３１が、壁面仕上パネル３２によって構成される。そして、図６（〜図９、主に図７参照）に示すように、上記カバー部材３１が、上記開口部２１に対して（ワンタッチで）係止保持可能な係止部３３を有するものとされる。
【００１９】
ここで、壁面５は、例えば、内装下地材５ａと、この内装下地材５ａの表面側に取付けられた内装用面材５ｂとを有するものとしても良い。内装下地材５ａは、例えば、木製や金属製のもの（木桟や金属桟部材）などとすることができる。内装用面材５ｂは、例えば、石膏ボードやパーチクルボードなどにクロス（壁紙）を貼ったものなどとすることができる。但し、壁面５は、上記に限るものではなく、例えば、鉄筋コンクリート製のものとしても良い。
【００２０】
開口部２１は、予め形成する大きさを決めておくようにする。開口部２１は、四角く設けられる。開口部２１は、例えば、幅がほぼ５００ｍｍ〜１０００ｍｍで、高さがほぼ１５００ｍｍ〜天井高さなどの大きさの矩形状のものなどとすることができる。好ましくは、開口部２１は、幅がほぼ７００ｍｍで、高さがほぼ１５００ｍｍなどとする。これは、上記した配管３（排水縦管）の補修に必要な大きさである。一方、カバー部材３１は、形成する開口部２１の大きさに合わせて予め工場や現場などで作成しておくのが好ましい。カバー部材３１は、開口部２１とほぼ同じ大きさの矩形状のものとすることができる。このようにすることにより、開口部２１に対して、取付直前にカバー部材３１を調整する必要をなくすことが可能となる。
【００２１】
そして、図１０、図１１に示すように、開口部２１の側には、係止部３３の相手方となる被係止部３４が設けられる。この場合、被係止部３４は、係止部３３と同じ高さの位置に、開口部２１を横切るように設置された横桟部材などとされる。係止部３３は、この被係止部３４に対して上側から係止される。被係止部３４を構成する横桟部材は、開口部２１の両側部に沿って取付けられた縦補強材３５に対し、支持材３６を介して取付けられる。この支持材３６は、横桟部材の両端部を下側から支持するものである。縦補強材３５、支持材３６、横桟部材（被係止部３４）は、カバー部材３１を取付ける直前に、開口部２１に対して設置される。縦補強材３５、支持材３６、横桟部材（被係止部３４）は、壁面５を構成する内装下地材５ａなどに対して数カ所ビス止めするだけなので、特に手間をかけずに設置することが可能である。そして、縦補強材３５、支持材３６、横桟部材（被係止部３４）を取付けることによって、開口部２１の周辺を補強することができる。なお、開口部２１の強度確保のためには、嵌合部を除いた部分（図４の斜線で示した横桟部材（被係止部３４）よりも下側の範囲）に対して、石膏ボードなどのボード材Ｂを取付け固定することも可能である。
【００２２】
更に、被係止部３４としての横桟部材の上面は、平坦面としても良いが、この場合には、係止部３３およびカバー部材３１をパイプスペース２の奥側で且つ下側へ向けて引き込むための斜面部３４ａが設けられている。この斜面部３４ａは、例えば、水平に対して３０°〜６０°程度の角度で奥下がりに傾斜するものとするのが好ましい。これに対して、図６〜図９（または図１２〜図１５）に示すように、係止部３３にも、斜面部３４ａに対して安定した係合状態が得られるようにするために、斜面部３４ａに合致する傾斜角度の下り勾配の部分を有する傾斜部３３ａを設けるようにしても良い。
【００２３】
カバー部材３１は、例えば、開口部２１よりも若干大きめに作って、開口部２１に対して表面側から覆い隠すように当接配置しても良い。この場合には、カバー部材３１は、例えば、開口部２１よりも各辺が５０ｍｍ〜１００ｍｍ程度大きなものなどとすることができる。または、カバー部材３１は、例えば、開口部２１とほぼ同じ大きさかまたはそれよりも若干小さめに作って、開口部２１の内側へ配置することで、内装用面材５ｂの表面と面一となるように設置しても良い。この例では、前者としている。即ち、カバー部材３１は、開口部２１よりも若干大きめのものとしている。
【００２４】
壁面仕上パネル３２は、金属製や樹脂製や木製や、これらの複合材料などから成る（乾式の）化粧パネルなどとすることができる。壁面仕上パネル３２には、例えば、キッチンパネルや、化粧建材などのように、上からクロス仕上げを行う必要がないように作成された、既存のものを使用することができる。壁面仕上パネル３２は、反りが小さくなるように、低線膨張部材や不燃材などを用いるのが好ましい。
【００２５】
係止とは、爪などを引っ掛けて止める構造のことである。係止部３３は、係止状態でカバー部材３１が安定するように、例えば、カバー部材３１の裏面側における上半部の位置などに取付けるようにする。この場合、係止部３３は、木製や樹脂製や金属製などの係止具（木製係止具（図７〜図９参照）、樹脂製係止具、金属フック（図１２〜図１４の他の実施例参照）など）とされており、この係止部３３は、壁面仕上パネル３２の幅方向に１個以上設けられている。木製係止具や樹脂製係止具は、例えば、横桟状部材などとしても良い。金属フックは、例えば、壁面仕上パネル３２の幅方向の両側に、間隔を有して左右一対またはそれ以上設けるようにしても良い。
【００２６】
（２）図４（〜図６）に示すように、上記カバー部材３１は、点検口４１を備えるようにしても良い。
【００２７】
ここで、点検口４１は、カバー部材３１に対して部分的に取付けられた開閉可能な部材である。この点検口４１は、排水縦管に設けられた掃除口４５の位置などに対して設けられる。点検口４１には、既存の部材を用いることができる。なお、カバー部材３１の着脱によって、簡単に開口部２１を開閉し点検を行うことができるので、必ずしも点検口４１は必要ない。しかし、点検口４１があると、カバー部材３１の着脱を行うことなくより簡単に開口部２１の内部を覗くことができるようになるので、更に利便性を高めることができる。
【００２８】
（３）上記カバー部材３１が、上記開口部２１との隙間を目立たなくするための隙間遮蔽材５１を有するようにしても良い。
【００２９】
ここで、隙間遮蔽材５１は、カバー部材３１としての壁面仕上パネル３２の内面や外面や端面の辺縁部を全周縁取るように設けられた縁飾り（モヘヤや、見切材や、縁カバー材や、シール材や、気密材）などとすることができる。上記したように、カバー部材３１が、開口部２１よりも若干大きめに作られている場合には、機能上、隙間遮蔽材５１は必ずしも必要なものではないが、隙間遮蔽材５１を取付けても良い。また、カバー部材３１が、開口部２１よりも若干小さめに作られている場合には、隙間遮蔽材５１は必ず設けるようにする。この場合には、隙間遮蔽材５１は、見栄えが良くなるように、壁面仕上パネル３２の辺縁部からハミ出すように取付けて上記した隙間を覆わせるようにするのが好ましい。更に、隙間遮蔽材５１には、気密テープなどを用いることもできる。
【００３０】
（４）図７（〜図９）に示すように、上記カバー部材３１が、遮音材６１を備えるようにしても良い。
【００３１】
ここで、遮音材６１は、例えば、カバー部材３１としての壁面仕上パネル３２の裏面全体に対して取付けるのが好ましい。また、遮音材６１は、壁面５の周辺部分などに部分的に取り付けるようにしても良い。但し、点検口４１が設けられている場合には、点検口４１の位置については、遮音材６１は設けないようにすることができる。遮音材６１は、断熱材を兼ねたものなどとすることができる。
【００３２】
また、壁面仕上パネル３２の面剛性が高い場合には、遮音材６１は、壁面仕上パネル３２の裏面に対して直接取付けるようにしても良い。または、カバー部材３１は、補強枠部材の表面側に壁面仕上パネル３２を取付け、補強枠部材の内側に断熱材を設置し、補強枠部材の裏面側に遮音材６１を取付けるなどした壁パネルとして構成しても良い。
【００３３】
（５）既に上記したように、開口部２１が、マンション・アパート・一戸建てなどの住宅や事務所ビルなどの建物１のパイプスペース２の、専有部分４との境界となる壁面５に設けられるようにしても良い。
【００３４】
ここで、パイプスペース２の壁面５を、専有部分４内に設けられたトイレスペースとの境界壁として説明したが、パイプスペース２の壁面５は、上記に限るものではなく、専有部分４内に設けられた他のスペースとの境界壁としても良い。また、例えば、パイプスペース２の壁面５は、共用部分を構成する階段スペースや廊下スペースとの境界壁に対して設けることもできる。
【００３５】
（６）以下、上記壁面補修材を用いた壁面補修構造を得るための壁面補修方法について説明する。
この壁面補修方法は、壁面５に設けられた開口部２１を、壁面仕上パネル３２によって構成されたカバー部材３１によって閉塞する工程（図３〜図５参照）と、カバー部材３１に設けられた係止部３３を用いて、カバー部材３１を上記開口部２１に対して（ワンタッチで）係止保持させる工程（図６、図７参照）とを順に行うものである。
【００３６】
ここで、既に上記したように、開口部２１は、予め決めた大きさで壁面５に形成する。そして、カバー部材３１は、開口部２１に合わせて予め用意しておいたものを用いる。カバー部材３１の表面側の上部には、カバー部材３１を表面側から把持できるようにするための把持部７１（摘み）などを取付けておくようにする。把持部７１は、係止部３３を取付けるネジなどを利用して設置するのが好ましい。この場合、把持部７１は、カバー部材３１の表面側の上部２箇所のコーナー部近傍の位置から突設されている。そして、把持部７１を持って、カバー部材３１を開口部２１よりも若干高い位置に持ち上げ、開口部２１へ向かって押し当てながら下へずらすように動かすことで、カバー部材３１の係止部３３を開口部２１の被係止部３４に上側から係止させるようにする。この状態になるとカバー部材３１は、開口部２１を覆った状態で安定し、手を離しても変位しないようになるので、少なくともカバー部材３１の下部の２箇所のコーナーの位置、または、カバー部材３１の上下部の４箇所のコーナーの位置をビスや釘やテープなどの固定具７２（図５参照）で固定することで、カバー部材３１の設置が完了する。
【００３７】
後日、カバー部材３１を開口部２１から取外す場合には、上記とは反対に、カバー部材３１の下部の２箇所または上下部の４箇所のビスなどの固定具７２を外し、把持部７１を持って、カバー部材３１を上へ持ち上げながら手前側に引くようにすることで、開口部２１の被係止部３４に対する係止部３３の係合状態を解除させるようにする。これにより、カバー部材３１を開口部２１から簡単に取外すことができる。
【００３８】
＜作用効果＞この実施例によれば、以下のような作用効果を得ることができる。
【００３９】
（作用効果１）壁面５に設けられた開口部２１の補修は、これまで、開口部２１自体を木軸補強し、木軸補強された開口部２１の部分に石膏ボードなどの構造面材を取付け、開口部２１と石膏ボードとの隙間を目地処理し、目地が乾いてから石膏ボードの表面に仕上げクロスを貼り付けるようにしていた。そのため、作業に手間が掛かると共に、工期が長くなり、また、コストもかかっていた。
【００４０】
そこで、開口部２１を閉塞するカバー部材３１を、開口部２１とほぼ同じ大きさ、または、若干大き目の（乾式の）壁面仕上パネル３２で構成した。そして、壁面仕上パネル３２とされたカバー部材３１を係止部３３によって、開口部２１にワンタッチで係止保持できるようにした。これにより、開口部２１を予め決められた大きさに形成すれば、開口部２１にカバー部材３１を設置して係止部３３を係止させるだけで、短時間のうちに壁面５の補修が完了するので、時間のかかる目地処理やクロス仕上げなどがなくなり、その分、壁面５を補修する工期を大幅に（最低でも２日以上）短縮することができる。また、壁面５の補修に要する手間やコストも削減することができる。加えて、改修工事の場合には、立会いが必要なため、住人による立会日数を減らすことができ、例えば、立会いのために住人が会社を休まなければならなくなる日数を減らして、住人の負担を減少することができる。
【００４１】
しかも、カバー部材３１は係止部３３によって開口部２１に確実に係止保持されるので、開口部２１とカバー部材３１との間に固定具７２を取付ける際に、カバー部材３１を仮保持する必要がなくなり、また、固定具７２を取付ける箇所も少なくて済むので、カバー部材３１の取付け作業が容易であり、更に、その後のカバー部材３１の着脱も容易になる。
【００４２】
（作用効果２）カバー部材３１が点検口４１を備えるようにした。これにより、点検口４１を用いることで、カバー部材３１を外さず開口部２１の内部を容易に点検することができる。
【００４３】
（作用効果３）カバー部材３１が隙間遮蔽材５１を有するようにした。これにより、開口部２１に対するカバー部材３１の隙間を隙間遮蔽材５１によって目立たなくすることができる。また、隙間遮蔽材５１によってパイプスペース２４と専有部分４の室内空間との内外間のシール性を確保・向上することができる。
【００４４】
（作用効果４）カバー部材３１が遮音材６１を備えるようにした。これにより、カバー部材３１を用いて壁面５を補修した場合の遮音性能を確保することができる。
【００４５】
（作用効果５）開口部２１が、マンション・アパート・一戸建てなどの住宅や事務所ビルなどの建物１のパイプスペース２の、専有部分４との境界となる壁面５に設けられた。これにより、パイプスペース２内のパイプを補修する際に、パイプスペース２の壁面５に設けられる開口部２１を、パイプの補修後に、カバー部材３１で塞ぐだけで、簡単に補修することができる。また、次の工事の時にも、カバー部材３１の着脱によって、壁面５を壊すことなく開口部２１の開閉を行うことができる。このような構造は、新築時や内装リフォーム時などに、最初から設けておくようにすることも可能である。なお、把持部７１（摘み）については、帽子などの軽い物を引っ掛けて使うことができる。
【００４６】
（作用効果６）上記壁面補修材を用いた壁面補修方法によれば、上記と同様の作用および、工期短縮、コスト削減という作用効果を得ることができる。
【００４７】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４８】
１      建物
２      パイプスペース
４      専有部分
５      壁面
２１    開口部
３１    カバー部材
３２    壁面仕上パネル
３３    係止部
４１    点検口
５１    隙間遮蔽材
６１    遮音材
【図１】
2018017082.tif 000003
【図２】
2018017082.tif 000004
【図３】
2018017082.tif 000005
【図４】
2018017082.tif 000006
【図５】
2018017082.tif 000007
【図６】
2018017082.tif 000008
【図７】
2018017082.tif 000009
【図８】
2018017082.tif 000010
【図９】
2018017082.tif 000011
【図１０】
2018017082.tif 000012
【図１１】
2018017082.tif 000013
【図１２】
2018017082.tif 000014
【図１３】
2018017082.tif 000015
【図１４】
2018017082.tif 000016
【図１５】
2018017082.tif 000017